(57)【特許請求の範囲】
【請求項１】
位置決め構造が設置されているベースを備える支持枠と、
前記ベースの前側に位置し、前記ベースと取り外し可能に係着或いは磁気吸着接続されている風路部品と、
前記風路部品に設置され、可動的に前記風路部品から凸出して前記位置決め構造と係着されて、前記風路部品を前記支持枠内で位置決めする可動ストッパと、を備え、
前記可動ストッパは左右方向に沿って前記風路部品の下部に枢着されて、前記風路部品に対して前後に回動し、
前記可動ストッパは第一回動ラッチであって、前記第一回動ラッチは第一ラッチ本体と第一ラッチ部を含み、前記第一ラッチ部は前記第一ラッチ本体の前記ベースに近い一端に位置し、前記第一ラッチ本体は左右方向に沿って前記風路部品の下部に枢着され、前記位置決め構造は前記第一ラッチ部に適合するラッチ溝であり、
前記風路部品の下部には、前記風路部品のシェル壁を前後方向に貫通する第一取付溝が設置され、前記第一回動ラッチの一部は前記第一取付溝内に設置され、
前記第一取付溝の側壁には左右方向に向かって第一軸穴が設けられ、前記第一ラッチ本体には前記第一軸穴と嵌合される第一回転軸が設置され、前記第一回転軸は前記第一軸穴に挿設されており、
前記第一取付溝の頂壁には弾性凸起が下へ凸出して設けられ、前記第一ラッチ本体の上表面には当接リブが凸出して設けられ、前記当接リブには前記弾性凸起に面して第一位置決め溝と第二位置決め溝が凹んで設けられ、前記第一位置決め溝は前記第二位置決め溝の前側に位置し、
前記弾性凸起は可動的に前記当接リブに当接し、前記弾性凸起が前記第一位置決め溝に拘束されると、前記第一ラッチ部と前記ラッチ溝の係着を維持し、前記弾性凸起が前記第二位置決め溝に拘束されると、前記第一ラッチ部の前記ラッチ溝からの離脱を維持する
ことを特徴とするエアコン室内機。
【請求項２】
前記第一取付溝の両側壁にはそれぞれ側壁の前縁から後ろへ傾いて延伸する案内溝が設けられ、二つの前記案内溝の末端にはそれぞれ一つの前記第一軸穴が設けられている
ことを特徴とする請求項１に記載のエアコン室内機。
【請求項３】
前記当接リブの上面には、第一凸部と第二凸部が前後方向において間隔を置いて凸出して設けられ、前記第一凸部は前記第二凸部の前側に位置し、
前記第一凸部と前記第二凸部との間には前記第一位置決め溝が形成され、前記第二凸部の後ろ側には前記第二位置決め溝が形成されている
ことを特徴とする請求項１に記載のエアコン室内機。
【請求項４】
前記支持枠はさらに前記風路部品の前側に位置するフレームを備え、前記風路部品の前側は取り外し可能に前記フレームと係着される
ことを特徴とする請求項１に記載のエアコン室内機。
【請求項５】
前記風路部品の前側のドレンパンの底部には係止部が設けられ、前記フレームには前記係止部に適合する第二回動ラッチが設けられ、前記第二回動ラッチは左右方向に沿って前記フレームに枢着されることで、回動して前記係止部と係着される
ことを特徴とする請求項４に記載のエアコン室内機。
【請求項６】
前記第二回動ラッチは第二ラッチ本体と第二ラッチ部を備え、前記第二ラッチ本体の一端は左右方向に沿って前記フレームに枢着され、前記第二ラッチ部は前記第二ラッチ本体の前記風路部品に面する表面に位置し、且つ前記第二ラッチ本体の枢着された一端から離れて設置されている
ことを特徴とする請求項５に記載のエアコン室内機。
【請求項７】
前記フレームには前記フレームのフレーム壁を前後方向に貫通する第二取付溝が設けられており、前記第二取付溝の側壁には左右方向に向かって第二軸穴が設けられ、前記第二ラッチ本体には前記第二軸穴と嵌合される第二回転軸が設置され、前記第二回転軸は前記第二軸穴に挿設されている
ことを特徴とする請求項６に記載のエアコン室内機。
【請求項８】
前記第二取付溝の溝口の両側縁部にはさらに対向するようにそれぞれ一つの位置決め凸起が設けられており、前記第二ラッチ部が前記係止部に掛着された時、二つの前記位置決め凸起は前記第二ラッチ本体の前側に位置する
ことを特徴とする請求項７に記載のエアコン室内機。
【請求項９】
前記ベースの上部には左右方向に沿って複数の弾性留め具が設置され、前記風路部品の上部の後縁部には左右方向に沿って複数の係止構造が設置され、前記弾性留め具と係止構造とは取り外し可能に係着されている
ことを特徴とする請求項１に記載のエアコン室内機。
【請求項１０】
前記支持枠はさらに前記ベースの左右両端から前記ベースの前側へ凸出して設置されている二つの固定部を含み、二つの前記固定部の対向する二つの側面にはそれぞれ第一摺動部が設けられ、前記風路部品の左右両端にはそれぞれ第二摺動部が設けられ、前記第一摺動部と前記第二摺動部は前記ベースの上下方向に沿って摺動可能に嵌合されている
ことを特徴とする請求項１に記載のエアコン室内機。
【請求項１１】
エアコン室外機及び請求項１から請求項１０のいずれか一項に記載のエアコン室内機を含む
ことを特徴とするエアコン。
【発明の詳細な説明】
【技術分野】
【０００１】
本発明は空調製品の分野に関し、特にエアコン室内機及びエアコンに関する。
【背景技術】
【０００２】
家庭用エアコンが日増しに普及しつつある現在では、消費者は、家庭用エアコンの使用過程における健康問題にもますます関心を持つようになっており、風道システムの徹底した洗浄はエアコンの使用過程における健康に対する重要な保証である。エアコンの使用時、室内の空気はフィルター、熱交換器、ファン、風路を順に通り、そして再び室内に吹き戻るようになっている。以上の部品を適時に掃除しなければ、ほこりの凝縮水への付着、空気中の水蒸気の協働により、以上の部品のいずれにも細菌の繁殖ひいてはかびの発生を起こす可能性があり、使用時にエアコンを通って吹き出す空気も汚染されてしまう。
【０００３】
先行技術では、以下のようなエアコン室内機を提案する。当該エアコン室内機の風路部品の上部はベースに着脱可能に接続され、下部はねじ止めによりベースに固定されることで、使用者が平常時に風路部品を正常に脱着して、洗浄を行えるようにする。しかしながら、エアコン室内機の内チャンバーの構造がコンパクトで、ねじ止めという煩雑な脱着方式では、風路部品の脱着効率にある程度影響してしまい、ひいては風路部品の洗浄或いは修理の利便性を低下させてしまう。
【発明の概要】
【発明が解決しようとする課題】
【０００４】
本願の主な目的は、従来技術においてエアコン室内機の風路部品の下部がねじ止めによる固定方式を採用することで、風路部品の洗浄或いは修理の利便性を低下させてしまう技術問題を解決するためのエアコン室内機を提供することである。
【課題を解決するための手段】
【０００５】
上記目的を達成するために、本願発明が提供するエアコン室内機は、位置決め構造が設置されているベースを備える支持枠と、前記ベースの前側に位置し、前記ベースと取り外し可能に係着或いは磁気吸着接続されている風路部品と、前記風路部品に設置され、可動的に前記風路部品から凸出して前記位置決め構造と係着されて、前記風路部品を前記支持枠内で位置決めする可動ストッパとを備える。
【０００６】
好ましくは、前記可動ストッパは左右方向に沿って前記風路部品の下部に枢着されて、前記風路部品に対して前後に回動する。
【０００７】
好ましくは、前記可動ストッパは第一回動ラッチであって、前記第一回動ラッチは第一ラッチ本体と第一ラッチ部を含み、前記第一ラッチ部は前記第一ラッチ本体の前記ベースに近い一端に位置し、前記第一ラッチ本体は左右方向に沿って前記風路部品の下部に枢着され、前記位置決め構造は前記第一ラッチ部に適合するラッチ溝である。
【０００８】
好ましくは、前記風路部品の下部には、前記風路部品のシェル壁を前後方向に貫通する第一取付溝が設置され、前記第一回動ラッチの一部は前記第一取付溝内に設置され、前記第一取付溝の側壁には左右方向に向かって第一軸穴が設けられ、前記第一ラッチ本体には前記第一軸穴と嵌合される第一回転軸が設置され、前記第一回転軸は前記第一軸穴に挿設されている。
【０００９】
好ましくは、前記第一取付溝の両側壁にはそれぞれ側壁の前縁から後ろへ傾いて延伸する案内溝が設けられ、二つの前記案内溝の末端にはそれぞれ一つの前記第一軸穴が設けられている。
【００１０】
好ましくは、前記第一取付溝の頂壁には弾性凸起が下へ凸出して設けられ、前記第一ラッチ本体の上表面には当接リブが凸出して設けられ、前記当接リブには前記弾性凸起に面して第一位置決め溝と第二位置決め溝が凹んで設けられて、前記第一位置決め溝は前記第二位置決め溝の前側に位置し、前記弾性凸起は可動的に前記当接リブに当接し、前記弾性凸起が前記第一位置決め溝に拘束されると、前記第一ラッチ部と前記ラッチ溝の係着を維持し、前記弾性凸起が前記第二位置決め溝に拘束されると、前記第一ラッチ部の前記ラッチ溝からの離脱を維持する。
【００１１】
好ましくは、前記当接リブの上面には、第一凸部と第二凸部が前後方向において間隔を置いて凸出して設けられて、前記第一凸部は前記第二凸部の前側に位置し、前記第一凸部と第二凸部との間には前記第一位置決め溝が形成され、前記第二凸部の後ろ側には前記第二位置決め溝が形成されている。
【００１２】
好ましくは、前記支持枠はさらに前記風路部品の前側に位置するフレームを備え、前記風路部品の前側は取り外し可能に前記フレームと係着される。
【００１３】
好ましくは、前記風路部品の前側のドレンパンの底部には係止部が設けられ、前記フレームには前記係止部に適合する第二回動ラッチが設けられ、前記第二回動ラッチは左右方向に沿って前記フレームに枢着されることで、回動して前記係止部と係着される。
【００１４】
好ましくは、前記第二回動ラッチは第二ラッチ本体と第二ラッチ部を備え、前記第二ラッチ本体の一端は左右方向に沿って前記フレームに枢着され、前記第二ラッチ部は前記第二ラッチ本体の前記風路部品に面する表面に位置し、且つ前記第二ラッチ本体の枢着された一端から離れて設置されている。
【００１５】
好ましくは、前記フレームには前記フレームのフレーム壁を前後方向に貫通する第二取付溝が設けられており、前記第二取付溝の側壁には左右方向に向かって第二軸穴が設けられ、前記第二ラッチ本体には前記第二軸穴と嵌合される第二回転軸が設置され、前記第二回転軸は前記第二軸穴に挿設されている。
【００１６】
好ましくは、前記第二取付溝の溝口の両側縁部にはさらに、対向するようにそれぞれ一つの位置決め凸起が設けられており、前記第二ラッチ部が前記係止部に掛着された時、二つの前記位置決め凸起は前記第二ラッチ本体の前側に位置する。
【００１７】
好ましくは、前記ベースの上部には左右方向に沿って複数の弾性留め具が設置され、前記風路部品の上部の後縁部には左右方向に沿って複数の係止構造が設置され、前記弾性留め具と係止構造とは取り外し可能に係着されている。
【００１８】
好ましくは、前記支持枠はさらに前記ベースの左右両端から前記ベースの前側へ凸出して設置されている二つの固定部を含み、二つの前記固定部の対向する二つの側面にはそれぞれ第一摺動部が設けられ、前記風路部品の左右両端にはそれぞれ第二摺動部が設けられ、前記第一摺動部と第二摺動部は前記ベースの上下方向に沿って摺動可能に嵌合されている。
【００１９】
本願発明はまた、エアコン室外機とエアコン室内機を含むエアコンを提案する。当該エアコン室内機は、位置決め構造が設置されているベースを備える支持枠と、前記ベースの前側に位置し、前記ベースと取り外し可能に係着或いは磁気吸着接続されている風路部品と、前記風路部品に設置されて、可動的に前記風路部品から凸出して前記位置決め構造と嵌合されて、前記風路部品を前記支持枠内で位置決めする可動ストッパとを備える。
【００２０】
好ましくは、前記可動ストッパは左右方向に沿って前記風路部品の下部に枢着されて、前記風路部品に対して前後に回動する。
【００２１】
好ましくは、前記可動ストッパは第一回動ラッチであって、前記第一回動ラッチは第一ラッチ本体と第一ラッチ部を含み、前記第一ラッチ部は前記第一ラッチ本体の前記ベースに近い一端に位置し、前記第一ラッチ本体は左右方向に沿って前記風路部品の下部に枢着され、前記位置決め構造は前記第一ラッチ部に適合するラッチ溝である。
【００２２】
好ましくは、前記風路部品の下部には、前記風路部品のシェル壁を前後方向に貫通する第一取付溝が設置され、前記第一回動ラッチの一部は前記第一取付溝内に設置され、前記第一取付溝の側壁には左右方向に向かって第一軸穴が設けられ、前記第一ラッチ本体には前記第一軸穴と嵌合される第一回転軸が設置され、前記第一回転軸は前記第一軸穴に挿設されている。
【００２３】
好ましくは、前記支持枠はさらに前記風路部品の前側に位置するフレームを備え、前記風路部品の前側は取り外し可能に前記フレームと係着される。
【００２４】
好ましくは、前記風路部品の前側のドレンパンの底部には係止部が設けられ、前記フレームには前記係止部に適合する第二回動ラッチが設けられ、前記第二回動ラッチは左右方向に沿って前記フレームに枢着されることで、回動して前記係止部と係着される。
【００２５】
本発明の技術案によれば、エアコン室内機のベースの下部に位置決め構造を設置して、且つ風路部品の下部に可動ストッパを設置し、当該可動ストッパは前後方向に沿って可動的に風路部品の後ろ側に凸出して位置決め構造と係着される。先行技術における風路部品の下部をねじ止めにより固定する方式に比べて、このように設定することで、風路部品の取り外し過程を簡略化して、風路部品の修理或いは洗浄の利便性を有効に向上させることは、理解できるであろう。
【図面の簡単な説明】
【００２６】
本発明の実施例及び従来技術の技術案をより明確に説明するため、以下では、実施例或いは従来技術の説明に必要とされる図面を簡単に紹介する。下記説明における図面は本発明の一部の実施例に過ぎないことは明らかであって、当業者であれば、創造的な労働を行わないことを前提に、これらの図面が示す構造により他の図面を得ることができる。
【図１】本発明のエアコン室内機の一実施例の構造模式図である。
【図２】図１におけるエアコン室内機の断面模式図である。
【図３】図２のＡ部分の拡大模式図である。
【図４】図２における支持枠の構造模式図である。
【図５】図４のＢ部分の拡大模式図である。
【図６】図１におけるエアコン室内機のもう一つの断面模式図である。
【図７】図６のＣ部分の拡大模式図である。
【図８】図１におけるエアコン室内機のもう一つの断面模式図である。
【図９】図８のＤ部分の拡大模式図である。
【図１０】図２における風路部品の構造模式図である。
【図１１】図１０のＥ部分の拡大模式図である。
【図１２】図７における第一回動ラッチの構造模式図である。
【図１３】図２におけるフレームの構造模式図である。
【図１４】図１３のＦ部分の拡大模式図である。
【図１５】図９における第二回動ラッチの構造模式図である。
【発明を実施するための形態】
【００２７】
図面を参照して、実施例と組み合わせて本発明の目的の実現、機能特徴及び長所をさらに説明する。
以下では、本発明の実施例における図面と組み合わせ、本発明の実施例における技術案を明確且つ完全に説明する。説明される実施例は本発明の全ての実施例ではなく、本願の一部の実施例に過ぎないことは明らかである。本発明における実施例に基づいて、当業者が創造的な労働を行わないことを前提に得られた全ての他の実施例は、本発明の保護する範囲に属す。
【００２８】
もし本発明の実施例で方向性指示（例えば上、下、左、右、前、後…）に関わる場合、当該方向性指示はある特定の姿勢（図面に示す）における各部品間の相対的位置関係、運動状況等を説明するためだけに用いられ、もし当該特定の姿勢が変わる場合、当該方向性指示もそれ相当に変わることに留意されたい。
【００２９】
また、本発明の実施例において「第一」、「第二」等の説明に関わる場合、当該「第一」、「第二」等の説明は、説明のために利用されるだけであって、その相対的重要性を提示又は暗示する、或いは提示される技術的特徴の数を暗示的に指定していると理解すべきではない。これにより、「第一」、「第二」に限定されている特徴は明示的或いは暗示的に少なくとも一つの当該特徴を含んでもよい。また、各実施例の技術案はお互いに組み合わせることができる。ただし、当業者が実現できることが前提となる。技術案の組み合わせに矛盾が生じるか、実現できない場合には、このような技術案の組み合わせが存在しない、且つ本発明が主張する保護範囲にないと理解されるべきである。
【００３０】
本発明ではエアコン室内機を提案する。
【００３１】
図１から図９に示すように、本発明の実施例において、当該エアコン室内機は、下部に位置決め構造が設置されているベース１を備える支持枠（不図示）と、ベース１の前側に位置し、上部がベース１の上部と取り外し可能に係着或いは磁気吸着接続されている風路部品２と、風路部品２の下部に設置されて、前後方向に沿って可動的に風路部品２の後側に凸出して位置決め構造に係着して、風路部品２を支持枠内で位置決めする可動ストッパとを備える。
【００３２】
本実施例では、支持枠はさらに、風路部品２の前側に位置するフレーム４を備え、フレーム４の外側にはエアコン室内機のパネル９が取り付けられており、フレーム４とベース１との間にはエアコン室内機の熱交換器７、貫流ファン８などの構造が設置されている。
【００３３】
具体的には、風路部品２を取り外す場合、パネル９を開いてから、使用者はまず、可動ストッパを前後に調節して位置決め構造から離脱させ、そして、一定の力（次第に大きくなる力）で風路部品２を下へ引っ張る。使用者の引張力が風路部品２の上部とベース１との係着力或いは磁気吸着力より大きくなったとき、風路部品２の上部もベース１から離脱するので、続いて風路部品２を支持枠内から取り外す。
【００３４】
本発明の技術案によれば、エアコン室内機のベース１の下部に位置決め構造を設置して、且つ風路部品２の下部に可動ストッパを設置する。当該可動ストッパは前後方向に沿って可動的に風路部品２の後側に凸出して位置決め構造と係着する。先行技術における風路部品２の下部をねじ止めにより固定する方式に比べて、このように設定することで、風路部品２の取り外し過程を簡略化して、風路部品２の修理或いは洗浄の利便性を有効に向上させることは、理解できるであろう。
【００３５】
さらに、可動ストッパは左右方向に沿って風路部品２の下部に枢着されて、風路部品２に対して前後に回動する。このように設定することで、使用者は簡単な回動動作だけで、可動ストッパの位置決め及び開放を実現できる。操作が便利で迅速であり、使用者による風路部品２の下部のロック解除或いは固定の利便性をより良く向上させることは、理解できるであろう。本設計はこれに限定されず、他の実施例において、可動ストッパは前後方向に沿って摺動可能に風路部品２の下部に接続されて、風路部品２に対して前後に摺動してもよい。
【００３６】
さらに、図７及び図１０から図１２に示すように、可動ストッパは第一回動ラッチ３であって、第一回動ラッチ３は第一ラッチ本体３１と第一ラッチ部３２を含み、第一ラッチ部３２は第一ラッチ本体３１のベース１に近い一端に位置する。第一ラッチ本体３１は左右方向に沿って風路部品２の下部に枢着されている。位置決め構造は第一ラッチ部３２に適合するラッチ溝１１である。このように設定することで、ラッチ部とラッチ溝１１の掛着嵌合により、風路部品２の下部とベース１との固定を実現するため、構造が簡単で、接続が安定していることは、理解できるであろう。本設計はこれに限定せず、他の実施例において、第一ラッチ本体３１のベース１に近い一端にはラッチ溝１１が形成されており、位置決め構造はラッチ溝１１に適合する第一ラッチ部３２であることは、説明しておく必要がある。本実施例では、ベース１の下部には左右方向において少なくとも二つのラッチ溝１１が配列されており、それと対応するように、風路部品２の下部の固定の安定性をより良く保証するように、風路部品２の下部には少なくとも二つの第一回動ラッチ３が設置されている。
【００３７】
更に、風路部品２の下部には風路部品２のシェル壁を前後方向に貫通する第一取付溝２１が設置されて、第一回動ラッチ３の一部は第一取付溝２１内に設置されている。第一取付溝２１の側壁には左右方向に向かって第一軸穴２１１が設けられ、第一ラッチ本体３１には第一軸穴２１１と隙間嵌めにされている第一回転軸３３が設置され、第一回転軸３３は第一軸穴２１１に挿設されている。このように設定することで、一方では、第一回動ラッチ３を有効に保護して、外部の構造が第一回動ラッチ３の正常な作動に干渉するのを避けることが可能で、もう一方では、軸穴と回転軸とが嵌合されて枢着を実現する方法は先行技術においても広く利用されており、構造が簡単で、接続が安定しているなどの長所を持つことは、理解できるであろう。本実施例では、第一ラッチ本体３１は上向きの凸弧状であり、凸弧の頂点の両側にはそれぞれ一つの第一回転軸３３が設置されて、それと対応するように、第一取付溝２１の両側壁にはそれぞれ一つの第一回転軸３３に対応する第一軸穴２１１が設けられて、第一ラッチ本体３１のベース１から離れた一端には使用者に押圧される押圧部が形成されている。本設計はこれに限定せず、他の実施例では、第一ラッチ本体３１は具体的に他の形状を呈して設置されてもいいことは、説明しておく必要がある。
【００３８】
さらに、第一取付溝２１の両側壁にはそれぞれ側壁の前縁から後ろへ傾いて延伸する案内溝２１３が設けられて、二つの案内溝２１３の末端にはそれぞれ一つの第一軸穴２１１が設けられている。このように設定することで、案内溝２１３が第一回動ラッチ３の第一取付溝２１への取り付け或いは第一取付溝２１からの取り外しを案内して、使用者による第一回動ラッチ３の交換或いは修理の利便性を向上させることは、理解できるであろう。
【００３９】
さらに、第一取付溝２１の頂壁には弾性凸起２１２が下へ凸出して設けられ、第一ラッチ本体３１の上表面には当接リブ３４が凸出して設けられている。当接リブ３４には弾性凸起２１２に面して第一位置決め溝３４１と第二位置決め溝３４２が凹んで設けられて、第一位置決め溝３４１は第二位置決め溝３４２の前側に位置する。弾性凸起２１２は可動的に当接リブ３４に当接する。弾性凸起２１２が第一位置決め溝３４１に拘束されると、第一ラッチ部３２がラッチ溝１１に係着するのを維持し、弾性凸起２１２が第二位置決め溝３４２に拘束されると、第一ラッチ部３２のラッチ溝１１からの離脱を維持する。このように設定することで、弾性凸起２１２と二つの位置決め溝により位置決めの維持を実現するが、第一回転軸３３と第二軸穴４１１との間を隙間嵌めとすることで、使用者がより楽に第一回動ラッチ３を回動させられるようにする。本実施例では、当接リブ３４の上面には、第一凸部３４３と第二凸部３４４が前後方向において間隔を置いて凸出して設けられて、第一凸部３４３は第二凸部３４４の前側に位置している。第一凸部３４３と第二凸部３４４との間には第一位置決め溝３４１が、第二凸部３４４の後ろ側には第二位置決め溝３４２が形成されている。このように設定することで、第一位置決め溝３４１と第二位置決め溝３４２の構造を簡単且つ便利に実現することは、理解できるであろう。また、本実施例において、第一取付溝２１の頂壁には後ろへ延伸する延伸部を有しており、当該延伸部の底部には当該弾性凸起２１２が設けられて、弾性凸起２１２と当接リブ３４は何れも対向して凸出するように設けられている弧形を呈している。勿論、他の実施例では、第一回転軸３３と第一軸穴２１１との摩擦を利用して位置決めを行い、第一ラッチ部３２の異なる状態を維持することも可能であり、本設計はそれに対して制限を設けない。
【００４０】
さらに、図８、図９及び図１３から図１５に示すように、風路部品２の前ドレンパン２２の底部には係止部２２１が、フレーム４には係止部２２１に適合する第二回動ラッチ５が設けられて、第二回動ラッチ５は左右方向に沿ってフレーム４に枢着されることで、回動して係止部２２１に係着する。このように設定することで、風路部品２の前部に対して有効な位置決め保護を行い、風路部品２の前部が受ける下向きの外力が大きすぎた場合にエアコン室内機の内チャンバーから抜け出すのを防ぎ、且つ、回動して係着する方式は使用者の操作に便利で、使用者が風路部品２を脱着させる利便性の向上に有利になる。本設計はこれに限定せず、もう一つの実施例では、フレーム４の前側には係止部２２１が設けられ、前ドレンパン２２には係止部２２１に適合する第二回動ラッチ５が設けられて、第二回動ラッチ５は左右方向に沿って前ドレンパン２２の底部に枢着されることで、回動して係止部２２１に係着することは、説明しておく必要がある。勿論、他の実施例では、風路部品２の前部は他の方法によりフレーム４に接続できる。
【００４１】
さらに、第二回動ラッチ５は第二ラッチ本体５１と第二ラッチ部５２を備え、第二ラッチ本体５１の一端は左右方向に沿ってフレーム４に枢着される。第二ラッチ部５２は第二ラッチ本体５１の風路部品２に面する表面に位置して、且つ第二ラッチ本体５１の枢着された一端から離れて設置されている。本実施例では、第二ラッチ部５２は第二ラッチ本体５１の表面に凸出して設けられている掛着ブロックであり、係止部２２１は前ドレンパン２２の底部に凸出して設けられている係止ブロックであり、掛着ブロックと係止ブロックは互いに適合する傾斜面を有する。勿論、本設計はこれに限定せず、他の実施例では、第二ラッチ部５２は第二ラッチ本体５１の表面に凸出して設けられている掛着ブロックであり、係止部２２１は前ドレンパン２２の底部に凹んで設けられて掛着ブロックに適合する係止溝でもよいが、本設計はそれにも限定しない。
【００４２】
さらに、フレーム４にはフレーム４のフレーム壁を前後方向に貫通する第二取付溝４１が設けられており、第二取付溝４１の側壁には左右方向に向かって第二軸穴４１１が設けられて、第二ラッチ本体５１には第二軸穴４１１と隙間嵌めにされている第二回転軸５３が設置されて、第二回転軸５３は第二軸穴４１１に挿設されている。このように設定することで、一方では、第二回動ラッチ５を有効に保護して、外部の構造が第二回動ラッチ５の正常な作動に干渉するのを避けることが可能で、もう一方では、軸穴と回転軸とが嵌合されて枢着を実現する方法は先行技術においても広く利用されており、構造が簡単で、接続が安定しているなどの長所を持つことは、理解できるであろう。本実施例では、第二ラッチ本体５１の前ドレンパン２２に向いた表面にはさらに当接ブロック５４が設けられて、当接ブロック５４は上下方向において第二ラッチ部５２と第二回転軸５３の間に位置して、第二ラッチ部５２が係止部２２１に掛着された時に前ドレンパン２２の前表面に当接されて、第二ラッチ本体５１の当該位置における構造強度を向上させる。また、本実施例において、第二取付溝４１の溝口の両側縁部にはさらにそれぞれ、対向するように位置決め凸起４１２が設けられており、第二ラッチ部５２が係止部２２１に掛着された時、二つの位置決め凸起４１２は第二ラッチ本体５１の前側に位置して、第二回動ラッチ５が外力の働きにより第二取付溝４１内から簡単に回動して外れるのを防ぐ。本設計はこれに限定せず、他の実施例において、第二取付溝４１のところには第二回動ラッチ５が簡単に回動して外れるのを防止する他の位置決め構造が設置されてもいいことは、説明しておく必要がある。
【００４３】
さらに、図４と図５を参照し、ベース１の上部には左右方向に沿って複数の弾性留め具１２が設置されて、風路部品２の後ドレンパン２３の後縁部には左右方向に沿って複数の係止構造が設置されて、弾性留め具１２と係止構造とは取り外し可能に係着されている。本実施例では、弾性留め具１２は平行に間隔を置いて且つ前下側へ延びている上弾性ラッチ１２１と下弾性ラッチ１２２、及び上弾性ラッチ１２１と下弾性ラッチ１２２の両側にそれぞれ設けられている案内ブロック１２３を含み、係止構造は上弾性ラッチ１２１と下弾性ラッチ１２２との間の隙間に適合して挿設される係止溝２３１であり、上弾性ラッチ１２１の底端が係止溝２３１の溝内壁に当接し、下弾性ラッチ１２２の頂端が係止溝２３１の外壁に当接して、二つの案内ブロック１２３は係止溝２３１の上弾性ラッチ１２１と下弾性ラッチ１２２の間への挿入に対して案内する役割を果たす。このように設定することで、風路部品２の取り外しが便利であることを保証した上で、構造のプロセス難易度を下げて、ベース１の生産製造費を下げるのに有利であることは、理解できるであろう。本設計はこれに限定せず、ベース１と風路部品２の上部との間にさらに具体的に他の係止構造を設置するか、磁気吸着によって接続されてもよいことは、説明しておく必要がある。
【００４４】
さらに、図４と図１０を参照し、支持枠はさらにベース１の左右両端からベース１の前側へ凸出して設置されている二つの固定部６を含み、二つの固定部６の対向する二つの側面にはそれぞれ第一摺動部が、風路部品２の左右両端にはそれぞれ第二摺動部が設けられて、第一摺動部と第二摺動部はベース１の上下方向に沿って摺動するように嵌合されている。本実施例では、第一摺動部は固定部６の上側から前下側へ向かって傾いて延伸するガイドレール６１構造であり、第二摺動部は当該ガイドレール６１構造と摺動可能に適合するスライド軸２４であって、風路部品２のエアコン室内機の内チャンバーへのスライド押し込み或いはスライド引き出しを実現して、使用者による風路部品２の修理或いは洗浄の利便性を向上させる。勿論、他の実施例では、第二摺動部は風路部品２の上側から前下側へ向かって傾いて延伸するガイドレール６１構造で、第一摺動部はガイドレール６１構造と摺動的に適合するスライド軸２４でもよい。本設計はこれに対して制限しない。
【００４５】
本発明は更に、エアコン室外機とエアコン室内機を含むエアコンを提案した。当該エアコン室内機の具体的な構造については、上記実施例を参照されたい。本エアコンは上記全ての実施例の全ての技術案を採用したので、少なくとも上記実施例の技術案がもたらす全ての有益効果を有し、ここでは逐一贅言しない。
【００４６】
以上に述べたことは本発明の好ましい実施例にすぎず、それによって本発明の特許の範囲を制限するわけではない。本発明の発明構想の下で、本発明の明細書及び図面の内容を利用してなされた等価構造変換、或いは他の関連する技術分野への直接／間接的な応用は、何れも本発明の特許の保護範囲に含まれる。
【符号の説明】
【００４７】
１  ベース
１１  ラッチ溝
１２  弾性留め具
１２１  上弾性ラッチ
１２２  下弾性ラッチ
１２３  案内ブロック
２  風路部品
２１  第一取付溝
２１１  第一軸穴
２１２  弾性凸起
２１３  案内溝
２２  前ドレンパン
２２１  係止部
２３  後ドレンパン
２３１  係止溝
２４  スライド軸
３  第一回動ラッチ
３１  第一ラッチ本体
３２  第一ラッチ部
３３  第一回転軸
３４  当接リブ
３４１  第一位置決め溝
３４２  第二位置決め溝
３４３  第一凸部
３４４  第二凸部
４  フレーム
４１  第二取付溝
４１１  第二軸穴
４１２  位置決め凸起
５  第二回動ラッチ
５１  第二ラッチ本体
５２  第二ラッチ部
５３  第二回転軸
５４  当接ブロック
６  固定部
６１  ガイドレール
７  熱交換器
８  貫流ファン
９  パネル
【図１】
0006902161.tif 000002
【図２】
0006902161.tif 000003
【図３】
0006902161.tif 000004
【図４】
0006902161.tif 000005
【図５】
0006902161.tif 000006
【図６】
0006902161.tif 000007
【図７】
0006902161.tif 000008
【図８】
0006902161.tif 000009
【図９】
0006902161.tif 000010
【図１０】
0006902161.tif 000011
【図１１】
0006902161.tif 000012
【図１２】
0006902161.tif 000013
【図１３】
0006902161.tif 000014
【図１４】
0006902161.tif 000015
【図１５】
0006902161.tif 000016